(57)【特許請求の範囲】
【請求項１】
互いに直交する縦方向と横方向とを有し、前身頃片と後身頃片と股下片とが互いに縫合されて股下部において前記股下片が前記前身頃片と後身頃片との間に位置して前後方向へ延び、前記後身頃片には前記横方向の中央部に前記縦方向へ延びる伸縮性テープが取り付けられているショーツにおいて、
前記後身頃片の前記横方向における寸法が前記前身頃のそれよりも大きく、前記後身頃片が胴周り側部を覆い腹部側において前記前身頃片の側縁部の全域と重なり合って縫合されており、
前記前身頃片と前記後身頃片と前記股下片とは、前記縦方向と前記横方向とのそれぞれに弾性伸縮性を有し、
前記前身頃片では、前記縦方向の伸長力が前記横方向のそれよりも大きく、
前記後身頃片では、前記縦方向の伸長力が、前記横方向のそれよりも小さく、かつ、前記伸縮性テープの伸長力よりも小さく、
前記股下片では、前記前後方向の伸長力が、前記横方向のそれよりも大きく、かつ、前記前身頃片および後身頃片における前記縦方向の伸長力の各々よりも大きいことを特徴とする前記ショーツ。
【請求項２】
前記股下片は、前記前後身頃片に縫合されて前記ショーツの外面を形成する外側シートと、前記ショーツの内面側から前記外側シートを被覆して前記前後身頃片に縫合される内側シートとからなる請求項１記載のショーツ。
【請求項３】
前記ショーツが一対の脚開口を有し、前記脚開口周縁部の前方部分が前記前後身頃片および股下片とは別体の弾性伸縮片によって形成され、前記弾性伸縮片の前記脚開口周り方向における伸長力が前記周り方向に直交する方向のそれよりも小さい請求項１または２記載のショーツ。
【請求項４】
前記伸縮性テープは、前記後身頃片が前記股下片の内側シートに縫合されている部位の近傍において前記縦方向へ伸長された状態にあり、前記後身頃片のその他の部位において非伸長状態にある請求項１ないし３のいずれかに記載のショーツ。
【発明の詳細な説明】
【０００１】
【発明の属する技術分野】
この発明は、吸尿パッドや生理用ナプキンと併せて使用するのに好適なショーツに関する。
【０００２】
【従来の技術】
実公昭６１−９６２８号公報に開示の生理用ショーツは、前後身頃片のそれぞれが伸縮性のもので、後身頃の胴周り方向中央部には上下方向へ延びる伸縮性テープが取り付けられている。かかるショーツによれば生理用ナプキンを陰部の凹面に適合密着させることができると、この公報は教示している。
【０００３】
実開平６−２２３０４号公報に開示のショーツでは、その本体の前部と後部とに縦方向よりも横方向へ伸び易い伸縮性生地が使用されている。ショーツの脚周り前部には、脚周り方向へ伸び易い弾性伸縮性生地が使用されている。かかるショーツは、腹部の膨出をおさえる体型補正作用を有し、太ももに食い込むことがなく、着用感に優れていると、この公報は教示している。
【０００４】
【発明が解決しようとする課題】
前記生理用ショーツに係る公報は、伸縮性テープと伸縮性の前後身頃片とを使用すると生理用ナプキンを陰部に密着させることができると教示しているが、このショーツを着用したときの身体に対する圧迫感を軽減することについては何も教示していない。
【０００５】
また、前記公知のショーツは、伸縮性生地の使い方によって体型補正作用と着用感とを向上させることができると教示してはいても、吸尿パッドや生理用ナプキンと併せて着用したときに、これらパッドやナプキンを陰部に密着させて尿や経血の漏れを防ぐということについてはなにも教示していない。
【０００６】
この発明では、着用したときに圧迫感が少なくて、しかも吸尿パッドや生理用ナプキンを陰部に密着させることができるように、前記公知の如きショーツを改良することが課題である。
【０００７】
【課題を解決するための手段】
前記課題解決のために、この発明が対象とするのは、互いに直交する縦方向と横方向とを有し、それぞれに弾性伸縮性を有する前身頃片と後身頃片と股下片とが互いに縫合されて股下部において前記股下片が前記前身頃片と後身頃片との間に位置して前後方向へ延び、前記後身頃片には前記横方向の中央部に前記縦方向へ延びる伸縮性テープが取り付けられているショーツである。
【０００８】
かかるショーツにおいて、この発明が特徴とするところは、前記後身頃片の前記横方向における寸法が前記前身頃のそれよりも大きく、前記後身頃片が胴周り側部を覆い腹部側において前記前身頃片の側縁部の全域と重なり合って縫合されており、前記前身頃片と前記後身頃片と前記股下片とは、前記縦方向と前記横方向とのそれぞれに弾性伸縮性を有し、前記前身頃片では、前記縦方向の伸長力が前記横方向のそれよりも大きく、前記後身頃片では、前記縦方向の伸長力が、前記横方向のそれよりも小さく、かつ、前記伸縮性テープの伸長力よりも小さく、
前記股下片では、前記前後方向の伸長力が、前記横方向のそれよりも大きく、かつ、前記前身頃片および後身頃片における前記縦方向の伸長力の各々よりも大きく、ことにある。
【０００９】
【発明の実施の形態】
添付の図面を参照し、この発明に係るショーツの詳細を説明すると、以下のとおりである。
【００１０】
図１，２，３は、吸尿パッドや生理用ナプキンと併せて着用するのに好適なショーツ１の正面図、背面図および部分破断側面図である。ショーツ１は、前身頃片２と、後身頃片３と、股下片４とを有し、前後身頃片２，３がショーツ１の腹側において上下方向へ延びる線６において重なり合い、縫合されている。股下片４は、股下部において前後方向へ延びているもので、ショーツ１の外面を形成する外側シート４ａと、ショーツ１の内側から外側シート４ａと後身頃片３の一部分とを被覆する内側シート４ｂとからなり、外側シート４ａは、線５と７とにおいて前後身頃片２，３に縫合されており、これらの線５，７は前記前後方向に交差する横方向へ延びている。内側シート４ｂは、外側シート４ａよりも長く、前身頃片２には線５で縫合され、後身頃片３には線７よりも後方に位置する線８で縫合されている。
【００１１】
かかるショーツ１は、胴開口１１と、一対の脚開口１２とを有し、胴開口１１の周縁部では、胴周り方向へ弾性伸縮性を有する飾りテープ１３が線１３ａに沿って前後身頃片２，３それぞれに縫合されている。脚開口１２の周縁部は、後身頃片３と、股下片４と、これら後身頃片３と股下片４と前身頃片２とに縫合されて脚周り方向へ長く延びる脚周り片１４とによって形成されている。脚周り片１４と前身頃片２とは線１４ａに沿って縫合されている。脚開口１２の周縁部のうちで、脚周り片１４を除く部分には脚周り方向に弾性伸縮性を有する飾りテープ１５が線１５ａに沿って縫合されている。
【００１２】
後身頃片３は、横方向の中央部内面に、縦方向へ延びる弾性伸縮性テープ１６が縫合されている。このテープ１６は、後身頃片３の上縁から後身頃片３を縦断して縫合の線８にまで延びている。図示例では、テープ１６が線８の近傍の部位１８において伸長状態で後身頃片３に縫合されており、このテープ１６が収縮することによって部位１８にギャザー２０が形成されている。テープ１６は、後身頃片３のその他の部位に対して実質的に非伸長状態で縫合されている。吸尿パッドや生理用ナプキンの後方部分を肌に密着させるうえで、テープ１６はこのような伸長状態にあることが好ましいが、テープ１６の全体を非伸長状態でショーツ１に取り付けてこの発明を実施することも可能である。
【００１３】
ショーツ１を形成する各身頃片２，３，４のうちで、前後身頃片２，３は、ショーツ１の縦方向とこの方向に直交する横方向とに弾性伸縮性を有する。ただし、前身頃片２は、縦方向の伸長力が横方向のそれよりも大きく、換言すると縦方向よりも横方向へ伸び易い。後身頃片３は、縦方向の伸長力が横方向のそれよりも小さく、横方向よりも縦方向へ伸び易い。また、後身頃片３の縦方向の伸長力は、テープ１６の伸長力よりも小さい。外側シート４ａと内側シート４ｂとが重なり合った状態にある股下片４は、前後方向と横方向とに弾性伸縮性を有し、前後方向の伸長力は横方向のそれよりも大きく、かつ、前後身頃片２，３の縦方向の伸長力よりも大きい。換言すると、横方向へ伸び易く、縦方向へ延び難い。脚周り片１４は、脚周り方向と、これに直交する方向とに弾性伸縮性を有するが、脚周り方向の伸長力がこれに直交する方向の伸長力よりも小さく、脚周り方向へ伸び易い。胴開口１１に沿って延びる飾りテープ１３の横方向における伸長力は、前後身頃片２，３の横方向における伸長力を超える場合と、超えない場合とがある。
【００１４】
この発明において、各身頃片２，３，４の伸長力は、次のようにして測定される。
【００１５】
（１）試片の寸法      伸長力を求めるべき各方向について幅２．５ｃｍ×長さ１５ｃｍの試片を用意する。股下片については、外側シートと内側シートとを重ね合わせた状態で試片を用意する。
（２）引張試験機のチャック間隔      １０ｃｍ
（３）引張速度      １０ｃｍ／ｍｉｎ
（４）１回目の引張      試片を１８０％まで伸長した後、伸長力を解放して収縮させる。
（５）２回目の引張      試片を１３０％まで伸長する。このときの伸長力を求め、その値で各身頃の各方向についての伸び易さを比較する。
【００１６】
この発明に係るショーツ１の好ましい一例において、このようにして測定される伸長力が、前身頃片２の縦方向と横方向とでは０．７５４Ｎと０．４０１Ｎであり、後身頃片３の縦方向と横方向とでは０．１８０Ｎと０．５６３Ｎであって、前身頃片２の縦方向の伸長力は後身頃片３のそれよりも大きく、前身頃片２の横方向の伸長力は後身頃片３のそれよりも小さい。股下片４の縦方向の伸長力は、前身頃片２のそれよりも大きいことが好ましい。
【００１７】
かようにして形成されるショーツ１は、その股下部の内側に例えば吸尿パッドを置いて着用したときに、縦方向への伸長力が大きい前身頃片２とテープ１６とがそのパッドを吊り上げてショーツ１着用者の股部に密着させる。また、前身頃片２は横方向へ伸び易く、ショーツ１着用者の腹部にこれを圧迫することなく当接する。後身頃片３は、横方向への伸長力が大きく、しかもショーツ１着用者の胴周り側部を覆って腹部にまで延びているので（図１参照）、着用者の腰部に強く密着する。かかるショーツ１は、着用者の身体が激しく動いても容易にずれ動くことがなく、吸尿パッドの股部への密着は良好な状態に維持される。脚開口１２の周縁部には、伸縮が容易であって幅が広い脚周り布片１４を設けることによって、着用したショーツ１で着用者の脚の動きを妨げるという問題を解消することができる。股下片４は、前後方向の伸長力が大きく、前身頃片２やテープ１６と協働して吸尿パッドを股部へ強く密着させるように作用する。かかるショーツ１は、吸尿パッドを対象にして使用する他に、生理用ナプキンを対象にして使用することもできる。
【００１８】
【発明の効果】
この発明に係るショーツでは、縦方向の伸長力が大きい前身頃片と、後身頃片に取り付けた弾性伸縮性テープとが協働して吸尿パッドや生理用ナプキンをショーツ着用者の股部に密着させて体液の漏れを防ぐことができる。また、かかる前身頃片は、ショーツ横方向の伸長力が小さく、ショーツ着用者の腹部にこれを圧迫することなく当接する一方、後身頃片は、横方向の伸長力が大きく、ショーツを着用者の腰部にしっかりと密着させることができる。
【図面の簡単な説明】
【図１】  ショーツの正面図。
【図２】  ショーツの背面図。
【図３】  ショーツの側面図。
【符号の説明】
１      ショーツ
２      前身頃片
３      後身頃片
４      股下片
４ａ      外側シート
４ｂ      内側シート
１２      脚開口
１４      弾性伸縮片
１６      テープ
【図１】
0003920539.tif 000002
【図２】
0003920539.tif 000003
【図３】
0003920539.tif 000004